(57)【要約】【課題】パネル取付用機器のカバー部材の取り外しを防止する。【解決手段】発光装置１は、本体部２と、固定部３と、カバー部材４と、保護部材５とを備える。本体部２は、取付パネル９のパネル貫通孔９３に挿入されて固定部３により固定される。カバー部材４の取付部４３の内側面に設けられた雌ねじ部４４が、本体部２の第２雄ねじ部２２に螺合することにより、カバー部材４が本体部２の前部に着脱可能に取り付けられる。保護部材５の側壁部５２は、カバー部材４の取付部４３の外側面４５を覆い、外側面４５を径方向内側へと押圧する。このため、カバー部材４を回転させようとすると、取付部４３の外側面４５と側壁部５２の内側面５７との間に摩擦力が生じ、第２雄ねじ部２２と雌ねじ部４４との係合が解除される方向へのカバー部材４の移動が妨げられる。その結果、カバー部材４の取り外しを防止することができる。【選択図】図３
2014074807.tif 000002
【特許請求の範囲】
【請求項１】
取付パネルに取り付けられるパネル取付用機器であって、
取付パネルの前面から背面へと貫通するパネル貫通孔に挿入されるとともに前部に第１係合部を有する本体部と、
前記取付パネルの後側にて前記本体部を前記取付パネルに固定する固定部と、
前記第１係合部と係合する第２係合部を有し、前記取付パネルの前側にて前記本体部の前記前部に着脱可能に取り付けられるカバー部材と、
前記カバー部材の外側面の少なくとも一部を覆う保護部材と、
を備え、
前記保護部材が、
前記本体部が挿入される開口を有する略環状であり、前記本体部の前記前部または前記カバー部材と前記取付パネルの前記前面との間に挟まれる底部と、
前記底部の外縁部から前方に広がり、前記カバー部材の前記外側面に接することにより、前記第２係合部と前記第１係合部との係合が解除される方向への前記カバー部材の移動を妨げる側壁部と、
を備えることを特徴とするパネル取付用機器。
【請求項２】
請求項１に記載のパネル取付用機器であって、
前記保護部材の前記側壁部が、前記カバー部材の前記外側面を内側へと押圧することを特徴とするパネル取付用機器。
【請求項３】
請求項２に記載のパネル取付用機器であって、
前記本体部の前記前部または前記カバー部材が前記保護部材の前記底部の内縁部を前記取付パネルに向けて押圧し、前記内縁部を支点として前記底部の外縁部が前側に撓むことにより、前記側壁部が内側へと撓んで前記外側面を押圧することを特徴とするパネル取付用機器。
【請求項４】
請求項１ないし３のいずれかに記載のパネル取付用機器であって、
前記保護部材が、
前記底部から前記側壁部の内側面に至る穴と、
前記穴に挿入され、前記側壁部の前記内側面から一部が露出して前記カバー部材の前記外側面に接する外接部材と、
をさらに備えることを特徴とするパネル取付用機器。
【請求項５】
取付パネルに取り付けられるパネル取付用機器であって、
取付パネルの前面から背面へと貫通するパネル貫通孔に挿入されるとともに前部に第１係合部を有する本体部と、
前記第１係合部と係合する第２係合部を有し、前記取付パネルの前側にて前記本体部の前記前部に着脱可能に取り付けられるカバー部材と、
前記取付パネルの前側にて前記本体部を前記取付パネルに固定するとともに、前記カバー部材の外側面に接することにより、前記第２係合部と前記第１係合部との係合が解除される方向への前記カバー部材の移動を妨げる保護部材と、
を備えることを特徴とするパネル取付用機器。
【請求項６】
請求項５に記載のパネル取付用機器であって、
前記保護部材が、前記カバー部材の前記外側面を内側へと押圧することを特徴とするパネル取付用機器。
【請求項７】
請求項６に記載のパネル取付用機器であって、
前記保護部材の背面の外縁部が、前記取付パネルにより前方に押圧されて前側に撓むことにより、前記保護部材の内側面が内側へと撓んで前記外側面を押圧することを特徴とするパネル取付用機器。
【発明の詳細な説明】
【技術分野】
【０００１】
本発明は、取付パネルに取り付けられるパネル取付用機器に関する。
【背景技術】
【０００２】
従来より、工場等では、装置類の作動状態等を示す表示灯が、装置近傍の壁面や装置本体の側壁等の取付パネルに取り付けられる。また、生産ラインにおいて、作業者等の安全を確保するための表示灯が、壁面や天井等の取付パネルに設置される。
【０００３】
例えば、特許文献１では、ＬＥＤ光源を備える表示灯が開示されている。当該表示灯は、ＬＥＤ光源が収容される本体と、ＬＥＤ光源の前方側を覆う円形ドーム状のカバーレンズとを備える。カバーレンズの後端部の内周面には雌ねじが設けられており、当該雌ねじが、本体の前部に設けられた雄ねじと螺合することにより、カバーレンズが本体に取り付けられる。ＬＥＤ光源を交換する場合には、カバーレンズを回すことにより、本体からカバーレンズを容易に取り外すことができる。
【先行技術文献】
【特許文献】
【０００４】
【特許文献１】特許第４６１５９４９号公報
【発明の概要】
【発明が解決しようとする課題】
【０００５】
近年、鉄道の駅では、転落防止柵が設置されるプラットホームが増加しており、転落防止柵の可動ドア（いわゆる、ホームドア）の作動状態を示す表示灯が、ホームドア近傍の取付パネルに取り付けられる。このような表示灯は、通常、不特定多数の乗客の手が届く位置に設置されるため、いたずら等によりカバーレンズが取り外されてしまうことがある。カバーレンズが取り外されると、表示灯の視認性や防水性能が低下する。また、露出した光源に乗客が触れるおそれもある。
【０００６】
本発明は、上記課題に鑑みなされたものであり、パネル取付用機器のカバー部材の取り外しを防止することを目的としている。
【課題を解決するための手段】
【０００７】
請求項１に記載の発明は、取付パネルに取り付けられるパネル取付用機器であって、取付パネルの前面から背面へと貫通するパネル貫通孔に挿入されるとともに前部に第１係合部を有する本体部と、前記取付パネルの後側にて前記本体部を前記取付パネルに固定する固定部と、前記第１係合部と係合する第２係合部を有し、前記取付パネルの前側にて前記本体部の前記前部に着脱可能に取り付けられるカバー部材と、前記カバー部材の外側面の少なくとも一部を覆う保護部材とを備え、前記保護部材が、前記本体部が挿入される開口を有する略環状であり、前記本体部の前記前部または前記カバー部材と前記取付パネルの前記前面との間に挟まれる底部と、前記底部の外縁部から前方に広がり、前記カバー部材の前記外側面に接することにより、前記第２係合部と前記第１係合部との係合が解除される方向への前記カバー部材の移動を妨げる側壁部とを備える。
【０００８】
請求項２に記載の発明は、請求項１に記載のパネル取付用機器であって、前記保護部材の前記側壁部が、前記カバー部材の前記外側面を内側へと押圧する。
【０００９】
請求項３に記載の発明は、請求項２に記載のパネル取付用機器であって、前記本体部の前記前部または前記カバー部材が前記保護部材の前記底部の内縁部を前記取付パネルに向けて押圧し、前記内縁部を支点として前記底部の外縁部が前側に撓むことにより、前記側壁部が内側へと撓んで前記外側面を押圧する。
【００１０】
請求項４に記載の発明は、請求項１ないし３のいずれかに記載のパネル取付用機器であって、前記保護部材が、前記底部から前記側壁部の内側面に至る穴と、前記穴に挿入され、前記側壁部の前記内側面から一部が露出して前記カバー部材の前記外側面に接する外接部材とをさらに備える。
【００１１】
請求項５に記載の発明は、取付パネルに取り付けられるパネル取付用機器であって、取付パネルの前面から背面へと貫通するパネル貫通孔に挿入されるとともに前部に第１係合部を有する本体部と、前記第１係合部と係合する第２係合部を有し、前記取付パネルの前側にて前記本体部の前記前部に着脱可能に取り付けられるカバー部材と、前記取付パネルの前側にて前記本体部を前記取付パネルに固定するとともに、前記カバー部材の外側面に接することにより、前記第２係合部と前記第１係合部との係合が解除される方向への前記カバー部材の移動を妨げる保護部材とを備える。
【００１２】
請求項６に記載の発明は、請求項５に記載のパネル取付用機器であって、前記保護部材が、前記カバー部材の前記外側面を内側へと押圧する。
【００１３】
請求項７に記載の発明は、請求項６に記載のパネル取付用機器であって、前記保護部材の背面の外縁部が、前記取付パネルにより前方に押圧されて前側に撓むことにより、前記保護部材の内側面が内側へと撓んで前記外側面を押圧する。
【発明の効果】
【００１４】
本発明では、カバー部材の取り外しを防止することができる。
【図面の簡単な説明】
【００１５】
【図１】第１の実施の形態に係る発光装置の側面図である。
【図２】発光装置の正面図である。
【図３】発光装置の断面図である。
【図４】保護部材の斜視図である。
【図５】発光装置の一部を拡大して示す断面図である。
【図６】発光装置の一部を拡大して示す断面図である。
【図７】発光装置の断面図である。
【図８】第２の実施の形態に係る発光装置の一部を拡大して示す断面図である。
【図９】第３の実施の形態に係る発光装置の一部を拡大して示す断面図である。
【図１０】第４の実施の形態に係る発光装置の正面図である。
【図１１】発光装置の一部を拡大して示す断面図である。
【図１２】保護部材の斜視図である。
【図１３】発光装置の一部を拡大して示す断面図である。
【図１４】発光装置の一部を拡大して示す断面図である。
【図１５】第５の実施の形態に係る発光装置の断面図である。
【図１６】保護部材の斜視図である。
【図１７】発光装置の一部を拡大して示す断面図である。
【図１８】他の発光装置の一部を拡大して示す断面図である。
【発明を実施するための形態】
【００１６】
図１は、本発明の第１の実施の形態に係る発光装置１を示す側面図であり、図２は、発光装置１を前方から見た平面図である。発光装置１は、略平板状の取付パネル９に取り付けられるパネル取付用機器である。発光装置１は、例えば、鉄道の駅のプラットホームに設置される転落防止柵の可動ドア（いわゆる、ホームドア）の近傍において、ホームドアの駆動部が収容された収容部の側壁等の取付パネルに取り付けられ、ホームドアの作動状態を表示する表示灯である。
【００１７】
図１に示すように、発光装置１は、本体部２と、固定部３と、カバー部材４と、保護部材５とを備える。本体部２は、図１中の上下方向に延びる略円柱状である。以下の説明では、図１中の上下方向を「前後方向」といい、図１中の上側および下側をそれぞれ「前側」および「後側」という。また、これに合わせて、図２のように発光装置１を前方から見た図を「正面図」という。
【００１８】
本体部２は、取付パネル９の前側の面である前面９１から後側の面である背面９２へと貫通する略円形のパネル貫通孔９３に挿入される。本体部２の外側面には第１雄ねじ部２１が形成されており、第１雄ねじ部２１の一部は、取付パネル９のパネル貫通孔９３内に位置し、他の一部は取付パネル９の後側に位置する。第１雄ねじ部２１は、前後方向に延びる２つの溝部２４（図１では、一方の溝部２４のみを図示する。）により周方向において２つの部位に分割されている。２つの溝部２４は、周方向において１８０°ずれた位置に配置される。溝部２４には、ねじ山およびねじ溝は設けられない。
【００１９】
固定部３は、略円環状であり、内側面に雌ねじ部を有する。固定部３は、本体部２に後側から嵌められ、取付パネル９の後側にて本体部２の第１雄ねじ部２１に螺合する。固定部３が、取付パネル９の背面９２に接するまで締められることにより、本体部２が取付パネル９に固定される。
【００２０】
図１および図２に示すように、カバー部材４は、正面視において略円形のドーム状の部材である。カバー部材４は、取付パネル９の前側にて、本体部２の前部に着脱可能に取り付けられる。本体部２の前部とは、本体部２のうち取付パネル９よりも前側の部位である。また、本体部２の取付パネル９よりも後側の部位を、本体部２の後部という。カバー部材４は、透光性を有する部材であり、本体部２の内部が露出しないように本体部２の一部を前側から覆う。保護部材５は、取付パネル９の前側にて、カバー部材４の周囲に配置されてカバー部材４の外側面の少なくとも一部を覆う。本実施の形態では、カバー部材４は硬質プラスチック等の樹脂により形成され、保護部材５はエラストマー等、比較的容易に弾性変形する樹脂により形成される。
【００２１】
図３は、発光装置１を図２中のＡ−Ａの位置にて切断した断面図である。図３は、本体部２の中心軸Ｊ１を含む断面を示す。中心軸Ｊ１は、取付パネル９の前面９１および背面９２に垂直であり、パネル貫通孔９３の中心を通る。図３に示すように、本体部２は、内部に光源２５を有する。光源２５は、例えば、ＬＥＤ素子やＬＥＤ電球であり、本体部２の後部２０２に設けられた端子（図示省略）を介して電源に接続される。
【００２２】
本体部２は、取付パネル９の前側にて、パネル貫通孔９３よりも中心軸Ｊ１を中心とする径方向の外側に広がるフランジ部２３を備える。フランジ部２３は、第１雄ねじ部２１の前端から、中心軸Ｊ１を中心とする全周に亘って径方向外側に広がる略円環板状である。フランジ部２３の前面および背面は、取付パネル９の前面９１および背面９２に略平行である。本体部２は、また、フランジ部２３よりも前側に位置する前端部の外側面に第２雄ねじ部２２を備える。換言すれば、第２雄ねじ部２２は、本体部２の前部２０１の外縁部に位置する。
【００２３】
カバー部材４は、透光部４１と、取付部４３とを備える。透光部４１は、正面視において略円形の透光性を有するドーム状であり、本体部２の内部を前側から覆う。光源２５からの光は、透光部４１を透過して前方へと導出される。
【００２４】
取付部４３は、中心軸Ｊ１を中心とする略円筒状であり、透光部４１の後端から後側へと（すなわち、取付パネル９に向かって）広がる。取付部４３は、本体部２の第２雄ねじ部２２と径方向に重なる。取付部４３の内側面には、雌ねじ部４４が設けられる。雌ねじ部４４が本体部２の第２雄ねじ部２２に螺合することにより、カバー部材４が本体部２の前端部に着脱可能に取り付けられる。本体部２の第２雄ねじ部２２を「第１係合部」と呼び、雌ねじ部４４を「第２係合部」と呼ぶと、第２係合部が第１係合部に係合することにより、カバー部材４が本体部２に取り付けられる。
【００２５】
図４は、保護部材５を示す斜視図である。図３および図４に示すように、保護部材５は、底部５１と、側壁部５２とを備える。底部５１は、本体部２が挿入される略円形の開口５３を有する略円環板状である。開口５３の直径は、本体部２の第１雄ねじ部２１の外径よりも大きく、フランジ部２３の外径よりも小さい。底部５１は、フランジ部２３の背面と取付パネル９の前面９１との間に挟まれる。底部５１の前面および背面は、取付パネル９の前面９１に略平行である。底部５１の前面は、ワッシャ６１を介して、本体部２のフランジ部２３の背面に間接的に接する。底部５１の背面は、取付パネル９の前面９１に直接的に接する。
【００２６】
発光装置１では、上述の固定部３が締められて、底部５１がフランジ部２３と取付パネル９とに挟まれることにより、保護部材５が、本体部２および取付パネル９に対して固定される。保護部材５の底部５１の背面は、フランジ部２３により取付パネル９の前面９１に向けて押圧される。底部５１の前面は、取付パネル９により、ワッシャ６１を介してフランジ部２３の背面に向けて押圧される。これにより、保護部材５が、本体部２に対して相対的に周方向に回転することを防止（または、抑制）することができる。
【００２７】
図４に示すように、底部５１の内側面には、径方向内側に突出する２つの凸部５４（図４では、一方の凸部５４のみを図示する。）が設けられる。２つの凸部５４は、周方向において１８０°ずれた位置に配置される。凸部５４の周方向の幅は、本体部２の溝部２４（図１参照）の周方向の幅よりも僅かに小さく、凸部５４の前後方向の厚さは、本体部２の第１雄ねじ部２１におけるねじ山のピッチよりも大きい。２つの凸部５４が２つの溝部２４内に位置することにより、保護部材５が、本体部２に対して相対的に周方向に回転することを、より一層防止（または、抑制）することができる。
【００２８】
図３に示すように、保護部材５の側壁部５２は、底部５１の外縁部から、カバー部材４の取付部４３の外側面４５に沿って前方に広がる。側壁部５２の内側面５７は、略円筒面状であり、内側に雌ねじ部４４が位置する取付部４３の外側面４５に接する。側壁部５２の外側面５５は、底部５１に近づくに従って外径が漸次増大する傾斜面である。本実施の形態では、側壁部５２の外側面５５は、円錐台の外側面である。側壁部５２の前端は、取付部４３の前端と前後方向に関しておよそ同じ位置に位置する。取付部４３の外側面４５は、全周に亘って保護部材５の側壁部５２により覆われる。取付部４３は、上述のように、本体部２の前端部と径方向に重なっているため、光源２５からの光は取付部４３から外部にほとんど出射されない。したがって、カバー部材４からの光の導出は、保護部材５により実質的に妨げられない。
【００２９】
図５は、取付パネル９への取り付け途上の発光装置１の一部を拡大して示す断面図である。図５では、カバー部材４が取り付けられた本体部２が、保護部材５の底部５１の開口５３に前側から挿入され、さらに、取付パネル９のパネル貫通孔９３に前側から挿入された状態を示す。図５に示す状態では、固定部３は本体部２に取り付けられていない。
【００３０】
図５に示すように、保護部材５の底部５１の背面５６は、内周部５６１と、外周部５６２とを有する。内周部５６１は、底部５１の内周縁から側壁部５２の内側面５７の径方向の位置まで、中心軸Ｊ１（図３参照）に垂直に広がる略円環面である。外周部５６２は、内周部５６１の外周縁から径方向外側に広がり、背面５６の外周縁に至る略円環面である。外周部５６２は、径方向外側に向かうに従って漸次後側に向かう傾斜面である。中心軸Ｊ１に垂直な平面に対する外周部５６２の傾斜はごく僅かである。図５に示す状態では、内周部５６１は、僅かな間隙を介して取付パネル９の前面９１と前後方向にて対向する。また、外周部５６２は、径方向外側に向かうに従って取付パネル９の前面９１に漸次近づき、外周部５６２の外縁部のみが取付パネル９の前面９１に接する。
【００３１】
図５に示す状態では、保護部材５の側壁部５２の内側面５７は、底部５１から離れるに従って漸次径方向外側に向かう傾斜面である。中心軸Ｊ１を中心とする円筒面に対する内側面５７の傾斜はごく僅かである。側壁部５２の内側面５７は、僅かな間隙を介してカバー部材４の取付部４３の外側面４５と径方向にて対向する。
【００３２】
発光装置１では、図３に示すように、固定部３が本体部２の第１雄ねじ部２１に螺合して取付パネル９の背面９２を押圧するまで締められることにより、図５に示す保護部材５の底部５１の内縁部（すなわち、内周部５６１のうち開口５３近傍の部位）が、本体部２のフランジ部２３により、取付パネル９の前面９１に向けて押圧される。底部５１の内縁部は、図６に示すように、外周部５６２の外周縁近傍の部位である外縁部を支点として取付パネル９に向かって撓み、保護部材５の側壁部５２は、径方向内側へと撓む（すなわち、弾性変形する。）。換言すれば、底部５１の外縁部が、内縁部を支点として前側に撓むことにより、側壁部５２が径方向内側へと撓む。これにより、側壁部５２の内側面５７が、カバー部材４の取付部４３の外側面４５に接し、取付部４３の外側面４５が、保護部材５の側壁部５２により径方向内側へと押圧される。
【００３３】
このため、カバー部材４が本体部２から外れる方向にカバー部材４を回転させようとすると、取付部４３の外側面４５と側壁部５２の内側面５７との間に摩擦力（すなわち、抵抗）が生じ、カバー部材４の回転が防止される。換言すれば、保護部材５の側壁部５２が、カバー部材４の取付部４３の外側面４５に接し、外側面４５を径方向内側へと押圧することにより、第２雄ねじ部２２と雌ねじ部４４との係合が解除される方向（すなわち、前方）へのカバー部材４の移動が妨げられる。その結果、カバー部材４の意図に反した取り外し（例えば、いたずらによる取り外し）を防止することができる。
【００３４】
また、発光装置１では、カバー部材４を保護部材５と共に回転させようとしても、保護部材５の底部５１が、本体部２のフランジ部２３により取付パネル９の前面９１に向けて押圧されているため、保護部材５の回転も防止される。その結果、カバー部材４の取り外しをより一層防止することができる。
【００３５】
上述のように、保護部材５の底部５１に設けられた２つの凸部５４（図４参照）は、本体部２の２つの溝部２４内に配置される。これにより、保護部材５が本体部２に対して相対的に回転することが、より一層防止される。その結果、カバー部材４の取り外しをさらに防止することができる。
【００３６】
カバー部材４では、取付部４３の外側面４５のおよそ全体が、保護部材５の側壁部５２により覆われている。このため、カバー部材４を把持しようとしても、指先は透光部４１の略球面状の滑らかな外側面にて滑り、カバー部材４を強く把持することは難しい。その結果、カバー部材４の取り外しをより一層防止することができる。また、保護部材５の側壁部５２の外側面５５が、円錐台の滑らかな外側面であるため、保護部材５を強く把持することも困難である。このため、カバー部材４を保護部材５と共に把持し、カバー部材４を回転させるための力を加えることも容易ではない。その結果、カバー部材４の取り外しをさらに防止することができる。
【００３７】
上述のように、発光装置１が取付パネル９に取り付けられる際には、保護部材５の底部５１が取付パネル９の前面９１に向かって押圧されて撓み、保護部材５の側壁部５２が径方向内側へと撓んで取付部４３の外側面４５に接する。このため、撓む前の側壁部５２の内側面５７を、カバー部材４の取付部４３の外側面４５から離間させておくことが可能となる。これにより、保護部材５の側壁部５２の内側に、カバー部材４の取付部４３を容易に挿入することができる。なお、保護部材５の側壁部５２の内側面５７は、底部５１が撓む前の状態でカバー部材４の取付部４３の外側面４５に接していてもよい。この場合、底部５１を上述のように撓ませることにより、側壁部５２が取付部４３を径方向内側に押圧する力を増大させることができる。
【００３８】
発光装置１は、鉄道の駅のプラットホーム等のように不特定多数の人が触れることができる場所以外の場所に設置されることもある。例えば、発光装置１は、工場内に設置される装置の側壁等に取り付けられてもよい。この場合、いたずら等によるカバー部材４の取り外しを考慮する必要はなく、発光装置１のメンテナンス性の向上等のために、カバー部材４を取付パネル９の前側から容易に着脱できることが好ましい。
【００３９】
このように、カバー部材４の容易な着脱が求められる場合には、図７に示すように、本体部２のフランジ部２３と取付パネル９との間に保護部材５を挟むことなく、本体部２が取付パネル９に取り付けられる。保護部材５が省略されることにより、カバー部材４の取付部４３が径方向内側に向かって押圧されることがないため、カバー部材４を容易に回転させて本体部２から取り外すことができる。
【００４０】
図８は、第２の実施の形態に係る発光装置１ａの一部を拡大して示す断面図である。発光装置１ａでは、保護部材５が、穴５８１および外接部材５８２を備える。その他の構成は、図１ないし図６に示す発光装置１と同様であり、以下の説明では、対応する構成に同符号を付す。
【００４１】
図８に示す発光装置１ａでは、穴５８１は、保護部材５の底部５１の背面５６から前側に延びて側壁部５２の内側面５７に至る。穴５８１は、側壁部５２の前端までは貫通しない。本実施の形態では、４つの穴５８１が周方向に等角度間隔にて配置される。なお、穴５８１の周方向における配置は適宜変更されてよい。また、穴５８１の個数は適宜変更されてよい。
【００４２】
複数の穴５８１にはそれぞれ、複数の外接部材５８２が挿入される。外接部材５８２としては、例えば、後端部（すなわち、取付パネル９に近い方の端部）に六角穴が設けられたねじや、穴５８１に圧入される略円柱状のピンが利用される。本実施の形態では、外接部材５８２として、穴５８１に係合する上述のねじが利用される。外接部材５８２は、カバー部材４の取付部４３が保護部材５の側壁部５２の内側に挿入された状態、かつ、本体部２が取付パネル９に取り付けられる前に、穴５８１に挿入される。外接部材５８２の一部は、側壁部５２の内側面５７から露出し、取付部４３の外側面４５に接する。外接部材５８２の当該一部（以下、「露出部」という。）は、外接部材５８２の穴５８１内における回転に伴って取付部４３の外側面４５を削り、外側面４５に溝を形成する。当該溝と外接部材５８２の露出部のねじ山とが嵌合することにより、外接部材５８２がカバー部材４と機械的に係合するとともに、取付部４３の外側面４５を径方向内側へと押圧する。
【００４３】
発光装置１ａでは、図１に示す発光装置１と同様に、保護部材５の側壁部５２が、カバー部材４の取付部４３の外側面４５を径方向内側へと押圧することにより、第２雄ねじ部２２と雌ねじ部４４との係合が解除される方向へのカバー部材４の移動が妨げられる。その結果、カバー部材４の取り外しを防止することができる。
【００４４】
発光装置１ａでは、特に、カバー部材４の外側面４５に接して機械的に係合する外接部材５８２により、カバー部材４の雌ねじ部４４と本体部２の第２雄ねじ部２２との係合が解除される方向へのカバー部材４の移動がさらに妨げられる。その結果、カバー部材４の取り外しをより一層防止することができる。
【００４５】
図９は、第３の実施の形態に係る発光装置１ｂの一部を拡大して示す断面図である。発光装置１ｂでは、本体部２の第２雄ねじ部２２近傍の部位の形状、および、カバー部材４の取付部４３の形状が、図１ないし図６に示す発光装置１と異なる。また、発光装置１ｂでは、本体部２にフランジ部２３（図３参照）が設けられない。その他の構成は、図１ないし図６に示す発光装置１と同様であり、以下の説明では、対応する構成に同符号を付す。
【００４６】
図９に示す発光装置１ｂでは、カバー部材４の取付部４３の後端部４６（すなわち、図９中の下側の端部）が、ワッシャ６１を介して、保護部材５の底部５１の前面に間接的に接する。保護部材５の底部５１は、カバー部材４の後端部４６と取付パネル９の前面９１との間に挟まれる。発光装置１ｂでは、固定部３が締められて、底部５１がカバー部材４と取付パネル９とに挟まれることにより、保護部材５が、本体部２および取付パネル９に対して固定される。これにより、保護部材５が、本体部２に対して相対的に周方向に回転することを防止（または、抑制）することができる。
【００４７】
発光装置１ｂでは、図１に示す発光装置１と同様に、保護部材５の側壁部５２が、カバー部材４の取付部４３の外側面４５を径方向内側へと押圧することにより、第２雄ねじ部２２と雌ねじ部４４との係合が解除される方向へのカバー部材４の移動が妨げられる。その結果、カバー部材４の取り外しを防止することができる。また、カバー部材４を保護部材５と共に回転させようとしても、保護部材５の底部５１が、カバー部材４により取付パネル９の前面９１に向けて押圧されているため、保護部材５の回転も防止される。その結果、カバー部材４の取り外しをより一層防止することができる。
【００４８】
図１０は、本発明の第４の実施の形態に係る発光装置１ｃの正面図であり、図１１は、発光装置１ｃを図１０のＢ−Ｂの位置にて切断した断面図である。発光装置１ｃは、略四角柱状の本体部２ａと、略矩形環状の固定部３ａと、正面視において略矩形のカバー部材４ａと、正面視において略矩形の保護部材５ａとを備える。図１１に示すように、本体部２ａは、取付パネル９の略矩形のパネル貫通孔９３ａに挿入される。取付パネル９の後側において、固定部３ａが本体部２ａに締まり嵌めにて嵌合されることにより、本体部２ａが取付パネル９に固定される。本体部２ａの内部には、第１の実施の形態と同様に、ＬＥＤ素子やＬＥＤ電球等の光源が設けられる。
【００４９】
本体部２ａの前部２０１は、取付パネル９の前側にて、パネル貫通孔９３ａよりも外側に広がる略矩形環板状のフランジ部２３と、フランジ部２３の外縁部から前方に広がる略矩形筒状の筒部２６とを備える。以下の説明では、筒部２６の図１０中における左右両側の一対の部位（すなわち、正面視における左右両側の一対の辺に対応する部位）を「第１側壁部２６１」と呼び、図１０中における上下の一対の部位を「第２側壁部２６２」という。図１１では、筒部２６の第１側壁部２６１が図示されている。第１側壁部２６１の前端部には、第１側壁部２６１の全長（図１０中における上下方向の全長）に亘って内側に突出する係合爪である第１係合部２２ａが設けられる。第２側壁部２６２には、係合爪は設けられない。
【００５０】
カバー部材４ａは、略矩形板状の透光部４１と、透光部４１の外縁部から後方へと広がる略矩形筒状の取付部４３とを備える。取付部４３は、本体部２ａの筒部２６の内側に挿入される。以下の説明では、取付部４３の４つの側壁部のうち、筒部２６の第１側壁部２６１に対向する側壁部を「第１側壁部４３１」と呼び、筒部２６の第２側壁部２６２に対向する側壁部を「第２側壁部」と呼ぶ。図１１では、取付部４３の第１側壁部４３１が図示されている。取付部４３の第１側壁部４３１の後端部には、第１側壁部４３１の全長（図１０中における上下方向の全長）に亘って外側に突出する係合爪である第２係合部４４ａが設けられる。取付部４３の第２側壁部には、係合爪は設けられない。
【００５１】
カバー部材４ａが本体部２ａに取り付けられる際には、第１側壁部４３１を内側に撓ませつつ、取付部４３が筒部２６の内側に挿入される。そして、第１側壁部４３１の撓みが解消されて元の形状に戻ることにより、カバー部材４ａの第２係合部４４ａが、本体部２ａの第１係合部２２ａの下方に位置する。第１係合部２２ａと第２係合部４４ａとが係合することにより、カバー部材４ａが本体部２ａに着脱可能に取り付けられる。カバー部材４ａは、いわゆるパッチン止め（スナップフィット）にて本体部２ａに取り付けられ、本体部２ａの内部を前側から覆う。
【００５２】
図１２は、保護部材５ａを示す斜視図である。図１１および図１２に示すように、保護部材５ａは、底部５１と、側壁部５２とを備える。底部５１は、本体部２ａが挿入される略矩形の開口５３を有する略矩形環板状である。図１１に示すように、底部５１は、本体部２ａのフランジ部２３の背面と取付パネル９の前面９１との間に挟まれる。底部５１の前面および背面は、取付パネル９の前面９１に略平行である。底部５１の前面は、ワッシャ６１を介して、フランジ部２３の背面に間接的に接する。底部５１の背面は、取付パネル９の前面９１に直接的に接する。
【００５３】
発光装置１ｃでは、底部５１がフランジ部２３と取付パネル９とに挟まれることにより、保護部材５ａが取付パネル９に固定される。保護部材５ａの底部５１の背面は、フランジ部２３により取付パネル９の前面９１に向けて押圧される。底部５１の前面は、取付パネル９により、ワッシャ６１を介してフランジ部２３の背面に向けて押圧される。
【００５４】
保護部材５ａの側壁部５２は、略矩形の底部５１の外縁部のうち、本体部２ａの筒部２６の第１側壁部２６１およびカバー部材４ａの第１側壁部４３１に対応する一対の辺から、筒部２６の第１側壁部２６１に沿って前方に広がる。側壁部５２の内側面は、第１側壁部２６１の外側面から離間している。側壁部５２の外側面５５は、底部５１に近づくに従って第１側壁部２６１から漸次離れる傾斜面である。側壁部５２の前端は、第１側壁部２６１の前端よりも前側に位置する。側壁部５２の前端部５２１は、第１側壁部２６１の前端よりも前方において、カバー部材４ａの第１側壁部４３１に向かって内側へと湾曲する。側壁部５２の前端部５２１の内側面５２２は、カバー部材４ａの第１側壁部４３１の外側面４３３に接する。
【００５５】
図１３は、取付パネル９への取り付け途上の発光装置１ｃの一部を拡大して示す断面図である。図１３では、カバー部材４ａが取り付けられた本体部２ａが、保護部材５ａの底部５１の開口５３に前側から挿入され、さらに、取付パネル９のパネル貫通孔９３ａに前側から挿入された状態を示す。図１３に示す状態では、固定部３ａは本体部２ａに取り付けられていない。
【００５６】
図１３に示すように、保護部材５ａの底部５１の背面５６は、内側部５６３と、外側部５６４とを有する。内側部５６３は、開口５３から取付パネル９の前面９１に略平行に広がり、外側部５６４は、内側部５６３の外縁から開口５３から離れる方向に広がる。外側部５６４は、開口５３から離れるに従って漸次後側に向かう傾斜面である。取付パネル９の前面９１に対する外側部５６４の傾斜はごく僅かである。図１３に示す状態では、内側部５６３は、僅かな間隙を介して取付パネル９の前面９１と前後方向にて対向する。また、外側部５６４は、開口５３から離れるに従って取付パネル９の前面９１に漸次近づき、外側部５６４の外縁部のみが取付パネル９の前面９１に接する。
【００５７】
保護部材５ａの前端部５２１の内側面５２２は、前方に向かうに従って開口５３から漸次離れる傾斜面である。内側面５２２の傾斜はごく僅かである。図１３に示す状態では、前端部５２１の内側面５２２は、僅かな間隙を介してカバー部材４ａの第１側壁部４３１の外側面４３３と径方向にて対向する。
【００５８】
発光装置１ｃでは、固定部３ａ（図１１参照）が本体部２ａに嵌合して取付パネル９の背面９２を押圧することにより、図１３に示す保護部材５ａの底部５１の内縁部（すなわち、内側部５６３のうち開口５３近傍の部位）が、本体部２ａのフランジ部２３により、取付パネル９の前面９１に向けて押圧される。底部５１の内縁部は、図１１に示すように、外側部５６４の外縁近傍の部位である外縁部を支点として取付パネル９に向かって撓み、保護部材５ａの側壁部５２は、本体部２ａの第１側壁部２６１およびカバー部材４ａの第１側壁部４３１に向かって撓む（すなわち、弾性変形する。）。換言すれば、底部５１の外縁部が、内縁部を支点として前側に撓むことにより、側壁部５２が本体部２ａおよびカバー部材４ａに向かって撓む。これにより、一対の側壁部５２の前端部５２１の内側面５２２が、カバー部材４ａの一対の第１側壁部４３１の外側面４３３に接し、各第１側壁部４３１の外側面４３３が、保護部材５ａの側壁部５２により内側へと（すなわち、他方の第１側壁部４３１に向かって）押圧される。側壁部５２の内側面５２２の一部は、透光部４１の側方にて第１側壁部４３１の外側面４３３に接し、内側面５２２の他の一部は、透光部４１よりも後側にて第１側壁部４３１の外側面４３３に接する。
【００５９】
発光装置１ｃでは、保護部材５ａの側壁部５２がカバー部材４ａの外側面４３３を内側へと押圧することにより、カバー部材４ａを前方に移動させようとすると、側壁部５２の内側面５２２と第１側壁部４３１の外側面４３３との間に摩擦力が生じる。これにより、本体部２ａの第１係合部２２ａとカバー部材４ａの第２係合部４４ａとの係合が解除される方向（すなわち、前方）へのカバー部材４ａの移動が妨げられる。その結果、カバー部材４ａの取り外しを防止することができる。
【００６０】
上述のように、発光装置１ｃが取付パネル９に取り付けられる際には、保護部材５ａの底部５１が取付パネル９の前面９１に向かって押圧されて撓み、保護部材５ａの側壁部５２が内側へと撓んで取付部４３の第１側壁部４３１の外側面４３３に接する。このため、撓む前の一対の側壁部５２の前端部５２１間の距離を大きくすることができる。これにより、一対の側壁部５２の間に、本体部２ａの筒部２６およびカバー部材４ａの取付部４３を容易に挿入することができる。なお、側壁部５２の前端部５２１の内側面５２２は、底部５１が撓む前の状態でカバー部材４ａの第１側壁部４３１の外側面４３３に接していてもよい。この場合、底部５１を上述のように撓ませることにより、側壁部５２が第１側壁部４３１を内側に押圧する力を増大させることができる。
【００６１】
発光装置１ｃでは、図１４に示すように、カバー部材４ａの第１側壁部４３１の外側面４３３に凹部４３４が設けられ、保護部材５ａの側壁部５２において、前端部５２１の内側面５２２に、凹部４３４と嵌合する凸部５２３が設けられてもよい。凸部５２３が凹部４３４に嵌合することにより、本体部２ａの第１係合部２２ａとカバー部材４ａの第２係合部４４ａとの係合が解除される方向へのカバー部材４ａの移動がさらに妨げられる。その結果、カバー部材４ａの取り外しをより一層防止することができる。なお、保護部材５ａの前端部５２１の内側面５２２に凹部が設けられ、カバー部材４ａの第１側壁部４３１の外側面４３３に当該凹部と嵌合する凸部が設けられてもよい。
【００６２】
図１５は、本発明の第５の実施の形態に係る発光装置１ｄの断面図である。発光装置１ｄは、中心軸Ｊ１を中心とする略円柱状の本体部２ｂと、正面視において略円形のカバー部材４ｂと、正面視において略円環状の保護部材５ｂとを備える。本体部２ｂの前部２０１は、取付パネル９の後側から略円形のパネル貫通孔９３に挿入される。
【００６３】
本体部２ｂの前部２０１の外側面には、第１雄ねじ部２１が設けられる。第１雄ねじ部２１は、取付パネル９よりも前側から後側まで連続して設けられる。取付パネル９の後側では、略円環状の調整部６２が第１雄ねじ部２１に螺合する。調整部６２の前面には略円環板状のパッキン６３が固定されており、パッキン６３は取付パネル９の背面９２に接する。調整部６２の本体部２ｂに対する前後方向の相対位置を変更することにより、取付パネル９の厚さが変更された場合であっても、本体部２ｂの取付パネル９から前方への突出長を所望の値に維持することができる。
【００６４】
本体部２ｂの前部２０１の外側面には、第１雄ねじ部２１よりも前方に位置する第２雄ねじ部２２が設けられる。第２雄ねじ部２２は、第１雄ねじ部２１よりも径方向内側に位置する。本体部２ｂの内部には、ＬＥＤ素子やＬＥＤ電球等の光源２５が設けられる。
【００６５】
カバー部材４ｂは、略円板状の透光部４１と、透光部４１の外縁部から後側へと（すなわち、取付パネル９に向かって）広がる略円筒状の取付部４３とを備える。取付部４３の内側面には雌ねじ部４４が設けられる。第１係合部である本体部２ｂの第２雄ねじ部２２と、第２係合部であるカバー部材４ｂの雌ねじ部４４とが係合（すなわち、螺合）することにより、カバー部材４ｂが、取付パネル９の前側にて本体部２ｂの前部２０１に取り付けられ、本体部２ｂの内部を前側から覆う。取付部４３の外径は、本体部２ｂの第１雄ねじ部２１が設けられる部位の外径よりも僅かに小さい。
【００６６】
図１６は、保護部材５ｂを示す斜視図である。図１５および図１６に示すように、保護部材５ｂは、円錐台の中央から当該円錐台の上面よりも小さい直径を有する円柱を除去した形状である。保護部材５ｂの略円環面状の背面は、取付パネル９の前面９１に直接的に接する。保護部材５ｂの内側面５７は、略円筒面状であり、保護部材５ｂの外側面５５は、取付パネル９に近づくに従って外径が漸次増大する傾斜面である。
【００６７】
保護部材５ｂの内側面５７の後部（すなわち、取付パネル９に近い部位）には、雌ねじ部５９が設けられる。保護部材５ｂの雌ねじ部５９が、取付パネル９の前側にて本体部２ｂの第１雄ねじ部２１に螺合することにより、保護部材５ｂが本体部２ｂに取り付けられる。そして、保護部材５ｂが、調整部６２との間で取付パネル９を挟み、取付パネル９の前面９１に接するまで締められることにより、本体部２ｂが取付パネル９に固定される。
【００６８】
保護部材５ｂの内側面５７の前部は、内側に雌ねじ部４４が位置する取付部４３の外側面４５に接する。取付部４３の外側面４５は、全周に亘って保護部材５ｂにより覆われる。取付部４３は、本体部２の前端部と径方向に重なっているため、光源２５からの光は取付部４３から外部にほとんど出射されない。したがって、カバー部材４ｂからの光の導出は、保護部材５ｂにより実質的に妨げられない。
【００６９】
図１７は、取付パネル９への取り付け途上の発光装置１ｄの一部を拡大して示す断面図である。図１７では、カバー部材４ｂが取り付けられた本体部２ｂが、取付パネル９のパネル貫通孔９３および保護部材５ｂに後側から挿入され、保護部材５ｂの雌ねじ部５９が本体部２ｂの第１雄ねじ部２１に途中まで螺合した状態を示す。
【００７０】
図１７に示すように、保護部材５ｂの背面５６は、内周部５６１と、外周部５６２とを有する。内周部５６１は、背面５６の内周縁から中心軸Ｊ１に垂直に径方向外側に広がる略円環面である。外周部５６２は、内周部５６１の外周縁から径方向外側に広がり、背面５６の外周縁に至る略円環面である。外周部５６２は、径方向外側に向かうに従って漸次後側に向かう傾斜面である。中心軸Ｊ１（図１５参照）に垂直な平面に対する外周部５６２の傾斜はごく僅かである。図１７に示す状態では、内周部５６１は、僅かな間隙を介して取付パネル９の前面９１と前後方向にて対向する。また、外周部５６２は、径方向外側に向かうに従って取付パネル９の前面９１に漸次近づき、外周部５６２の外縁部のみが取付パネル９の前面９１に接する。
【００７１】
図１７に示す状態では、保護部材５ｂの内側面５７は、背面５６から離れるに従って漸次径方向外側に向かう傾斜面である。中心軸Ｊ１を中心とする円筒面に対する内側面５７の傾斜はごく僅かである。保護部材５ｂの内側面５７は、僅かな間隙を介してカバー部材４ｂの取付部４３の外側面４５と径方向にて対向する。
【００７２】
発光装置１ｄでは、保護部材５ｂの背面５６が、図１５に示すように、およそ全面に亘って取付パネル９の前面９１に接するまで保護部材５ｂが締められる。これにより、図１７に示す保護部材５ｂの背面５６の外縁部が、取付パネル９の前面９１により前方に押圧されて前側に撓む（すなわち、弾性変形する。）。その結果、図１５に示すように、保護部材５ｂの内側面５７が、径方向内側へと撓んでカバー部材４ｂの取付部４３の外側面４５に接し、取付部４３の外側面４５が保護部材５ｂにより径方向内側へと押圧される。
【００７３】
このため、カバー部材４ｂが本体部２ｂから外れる方向にカバー部材４ｂを回転させようとすると、取付部４３の外側面４５と保護部材５ｂの内側面５７との間に摩擦力が生じ、カバー部材４ｂの回転が防止される。換言すれば、保護部材５ｂが、カバー部材４ｂの取付部４３の外側面４５に接し、外側面４５を径方向内側へと押圧することにより、第２雄ねじ部２２と雌ねじ部４４との係合が解除される方向（すなわち、前方）へのカバー部材４ｂの移動が妨げられる。その結果、カバー部材４ｂの取り外しを防止することができる。
【００７４】
上述のように、発光装置１ｄが取付パネル９に取り付けられる際には、保護部材５ｂが取付パネル９の前面９１に向かって押圧されて撓み、保護部材５ｂの内側面５７が径方向内側へと撓んで取付部４３の外側面４５に接する。このため、撓む前の保護部材５ｂの内側面５７を、カバー部材４ｂの取付部４３の外側面４５から離間させておくことが可能となる。これにより、保護部材５ｂの内側に、カバー部材４ｂの取付部４３を容易に挿入することができる。なお、保護部材５ｂの内側面５７は、保護部材５ｂが撓む前の状態でカバー部材４ｂの取付部４３の外側面４５に接していてもよい。この場合、保護部材５ｂを上述のように撓ませることにより、保護部材５ｂが取付部４３を径方向内側に押圧する力を増大させることができる。
【００７５】
以上、本発明の実施の形態について説明してきたが、本発明は上記実施の形態に限定されるものではなく、様々な変更が可能である。
【００７６】
例えば、保護部材５（図４ないし図６参照）では、底部５１が撓むことにより側壁部５２が径方向内側へと撓むのであれば、底部５１の背面５６の形状は様々に変更されてよい。例えば、底部５１の背面５６が中心軸Ｊ１に略垂直な円環面であり、背面５６の外縁部に後方へと向かって突出する環状の凸部が設けられてもよい。保護部材５ａ（図１１ないし図１４参照）においても同様に、底部５１の背面５６の形状は様々に変更されてよく、例えば、底部５１の背面５６が取付パネル９の前面９１に略平行な矩形環面であり、背面５６の外側部５６４の外縁部に後方へと向かって突出する直線状の凸部が設けられてもよい。保護部材５ｂ（図１５ないし図１７参照）においても同様に、保護部材５ｂの背面５６の形状は様々に変更されてよく、例えば、中心軸Ｊ１に垂直な背面５６の外縁部に後方へと向かって突出する環状の凸部が設けられてもよい。
【００７７】
保護部材５，５ａ，５ｂは、本体部２，２ａ，２ｂの取付パネル９への取り付けの際に、必ずしも撓んで変形する必要はない。例えば、保護部材５の側壁部５２の内径が、カバー部材４の取付部４３の外径よりも僅かに小さく、カバー部材４の取付部４３が保護部材５の側壁部５２の内側に圧入されてもよい。これにより、カバー部材４の取付部４３の外側面４５が、保護部材５の側壁部５２により径方向内側へと押圧され、取付部４３の外側面４５と側壁部５２の内側面５７との間に摩擦力が生じる。その結果、カバー部材４の取り外しを防止することができる。保護部材５ｂにおいても同様であり、保護部材５ｂの内側にカバー部材４ｂの取付部４３が圧入されることにより、カバー部材４ｂの取付部４３の外側面４５が、保護部材５ｂにより径方向内側へと押圧されてもよい。
【００７８】
カバー部材４の取付部４３の外側面４５は、必ずしも全周に亘って保護部材５により覆われる必要はない。例えば、正面視において円環の一部が切れた略円弧状（略Ｃ字状）の保護部材により、取付部４３の外側面４５の一部が覆われてもよい。すなわち、カバー部材４の外側面４５は、保護部材５により少なくとも一部が覆われていればよい。保護部材５ｂにおいても同様である。
【００７９】
図１５に示す発光装置１ｄでは、図１１に示す発光装置１ｃと同様に、カバー部材の取付部が本体部の内側に挿入され、パッチン止め（スナップフィット）により、カバー部材が本体部に取り付けられてもよい。
【００８０】
上述の実施の形態では、保護部材によりカバー部材の外側面が内側に押圧されるが、図１８に示すように、保護部材５がカバー部材４の外側面４５を径方向内側に押圧することなく、外側面４５に接することにより、カバー部材４の前方への移動、すなわち、本体部２の第２雄ねじ部２２とカバー部材４の雌ねじ部４４との係合が解除される方向へのカバー部材４の移動が妨げられてもよい。
【００８１】
図１８に示す保護部材５は、側壁部５２の前端部に、径方向内側に向かって突出する略円環状の側壁凸部５２４を備える。また、カバー部材４の外側面４５には、取付部４３の前側にて中心軸に垂直に広がる略円環状の段差面４５１が設けられる。保護部材５の側壁凸部５２４が、カバー部材４の段差面４５１の前側に位置し、段差面４５１に接することにより、カバー部材４の前方への移動が妨げられる。なお、側壁凸部５２４は段差面４５１との間に僅かな隙間を設けて段差面４５１の前方に配置されてもよい。この場合であっても、カバー部材４を取り外すために僅かに回転させた時点で、カバー部材４の段差面４５１が側壁凸部５２４に接する。図１８に示す保護部材５の構造は、上記実施の形態に係る発光装置１，１ａ〜１ｄのいずれにも適用可能である。
【００８２】
本体部の第１係合部とカバー部材の第２係合部との係合は、必ずしも螺合やパッチン止め（スナップフィット）による係合には限定されず、様々な構造により実現されてよい。固定部３，３ａおよび保護部材５ｂによる本体部の取付パネル９への固定も、様々な方法により行われてよい。本体部の形状は、略円柱状や略四角柱状には限定されず、様々に変更されてよい。取付パネル９のパネル貫通孔９３の形状、並びに、固定部および保護部材の開口形状も、本体部の形状に合わせて様々に変更されてよい。
【００８３】
本体部は、複数の部材が互いに着脱可能に取り付けられることにより形成されてもよい。例えば、本体部の後部２０２の一部が取り外されることにより、本体部内部の電球等の交換が容易とされてもよい。また、光源２５として、ＬＥＤ素子やＬＥＤ電球以外の様々なものが利用されてよい。
【００８４】
上述の発光装置は、表示灯以外の様々な用途（例えば、照明灯）に利用されてよい。また、上述の発光装置の構造は、内部に光源を有しない様々なパネル取付用機器に利用されてもよい。この場合も、パネル取付用機器において、本体部内の構造を露出させないためのカバー部材の取り外しを防止することができる。
【００８５】
上記実施の形態および各変形例における構成は、相互に矛盾しない限り適宜組み合わされてよい。
【符号の説明】
【００８６】
１，１ａ〜１ｄ    発光装置
２，２ａ，２ｂ    本体部
３，３ａ    固定部
４，４ａ，４ｂ    カバー部材
５，５ａ，５ｂ    保護部材
９    取付パネル
２２    第２雄ねじ部
２２ａ    第１係合部
４４    雌ねじ部
４４ａ    第２係合部
４５    （カバー部材の）外側面
５１    （保護部材の）底部
５２    （保護部材の）側壁部
５３    開口
５７    （側壁部の）内側面
９１    前面
９２    背面
９３，９３ａ    パネル貫通孔
２０１    （本体部の）前部
５８１    穴
５８２    外接部材
【図１】
2014074807.tif 000003
【図２】
2014074807.tif 000004
【図３】
2014074807.tif 000005
【図４】
2014074807.tif 000006
【図５】
2014074807.tif 000007
【図６】
2014074807.tif 000008
【図７】
2014074807.tif 000009
【図８】
2014074807.tif 000010
【図９】
2014074807.tif 000011
【図１０】
2014074807.tif 000012
【図１１】
2014074807.tif 000013
【図１２】
2014074807.tif 000014
【図１３】
2014074807.tif 000015
【図１４】
2014074807.tif 000016
【図１５】
2014074807.tif 000017
【図１６】
2014074807.tif 000018
【図１７】
2014074807.tif 000019
【図１８】
2014074807.tif 000020